(57)【要約】本発明は、時間単位間隔に従って通信装置に対する料金請求を検証するための試験装置および方法に関する。本発明によれば、少なくとも１つの発呼アナログ端末および少なくとも１つの被呼端末をシミュレートすることができる試験装置が、時間パルスを生成するネットワーク・ノードに接続される。少なくとも１つの所定の試験通信接続を設定し、少なくとも１つのネットワーク・ノード４０で終了させる。加えて、試験通信接続の開始と第１の時間パルスの生成との時間間隔を測定し、検証して、測定された時間間隔が第１の所定の時間領域内にあるかどうかを確認する。既存の試験通信接続時に、連続時間パルスの時間単位間隔を測定し、所定の時間間隔と比較する。試験通信接続の終了後に少なくとも１つのさらなる時間パルスが受信されたかどうかについても検証される。受信された場合は、試験通信接続の終了と少なくとも１つの時間パルスとの時間間隔を測定し、検証して、測定された時間間隔が第２の所定の時間領域内にあるかどうかを確認する。
2006505162.tif 000002
【特許請求の範囲】
【請求項１】
時間空間に従って通信接続に対する料金請求を検証する方法であって、少なくとも１つの発呼アナログ端末装置（２０）と少なくとも１つの被呼端末装置（３０）とをシミュレートすることが可能な試験装置（１０）が、時間パルスを生成することができる少なくとも１つのネットワーク・ノード（４０）に接続されており、前記方法は、
少なくとも１つの所定の試験通信接続が設定され、少なくとも１つの前記ネットワーク・ノード（４０）を介して再びクリアする工程と、
前記試験通信接続の開始と第１の時間パルスの生成との間隔を確認し、前記確認された間隔が第１の所定の時間領域内にあるかどうかを調べる工程と、
前記既存の試験通信接続時に、連続時間パルスの時間単位間隔が測定され、所定の時間間隔と比較される工程と、
前記試験通信接続の終了後に少なくとも１つの追加的な時間パルスが受信されたかどうかを確認し、
受信された場合は、前記試験通信接続の終了と前記少なくとも１つの時間パルスとの間隔を確認し、前記確認された間隔が第２の所定の時間領域内にあるかどうかを調べる工程とを含むことを特徴とする方法。
【請求項２】
前記試験通信接続の終了後に発生する時間パルスの数が、時間パルスの所定の最大数ｙより少ないか、多いか、等しいかをさらに調べることを特徴とする請求項１に記載の方法。
【請求項３】
測定可能な前記試験通信接続の開始に対応する第１の所定の事象（接続、ループ接続）の発生を前記試験装置（１０）の第１の所定の測定点（３４）で検知する工程と、
前記ネットワーク・ノード（４０）によって生成された前記試験通信接続の前記第１の時間パルスの受信を、前記試験装置の第２の所定の測定点（２２）で検知する工程と、
前記第１の所定の事象（接続、ループ接続）の検知された発生と前記第１の時間パルスの受信との関数として、時間測定（５０）を開始または停止する工程と、
を用いて、前記試験通信接続の開始と前記第１の時間パルスの生成との時間間隔を確認することを特徴とする請求項１または２に記載の方法。
【請求項４】
試験通信接続の開始の実際の発生の位置（４４）と前記試験装置（１０）の前記第１の測定点（３４）との間の体系的測定誤差を確認し、
前記第１の時間パルスの実際の生成の位置（４２）と前記試験装置（１０）の前記第２の測定点との体系的測定誤差を確認し、
前記第１の所定の事象の検知された発生と前記第１の時間パルスの受信との間隔を測定し、体系的測定誤差の量だけ補正し、そして
測定された間隔が前記第１の所定の時間領域内にあるかどうかを調べることを特徴とするとする請求項３に記載の方法。
【請求項５】
前記発呼アナログ端末装置（２０）によって受信された前記第１の時間パルスが、第１の時間測定（２４１）を開始し、
前記発呼アナログ端末装置によって受信された各後続時間パルスが、直前の時間パルスによって開始された時間測定を停止し、さらなる時間測定を開始する工程と、
第ｉ番目の時間測定（２４ｉ）を前記試験通信接続の最後の時間パルスによって開始する工程と、
を用いて連続時間パルスの時間間隔を測定することを特徴とする請求項１乃至４のいずれか１項に記載の方法。
【請求項６】
開始された各々の時間測定に連続番号を割り当てることを特徴とする請求項５に記載の方法。
【請求項７】
測定可能な前記試験接続の終了に対応する第２の所定の事象（切断、ループ中断）が、前記試験装置（１０）の前記第１または第２の所定の測定点（３４）において発生するときに時間測定（５５）を開始する工程と、
前記第１の時間パルスが、前記試験通信接続の終了後に前記試験装置の前記第２の所定の測定点において受信されたときに、前記第１の時間測定（５５）を前記第２の所定の事象によって開始する工程と、
前記時間測定（５５）の値を前記第２の所定の時間領域と比較する工程とを用いて、前記試験通信接続の終了と前記試験通信接続の終了後に受信された第１の時間パルスとの時間間隔を確認することを特徴とする請求項６に記載の方法。
【請求項８】
前記試験装置（１０）の前記第１または第２の所定の測定点（３４、２２）において前記第２の所定の事象（切断、ループ中断）が発生したときに、２つの連続時間パルスの時間間隔の現在実行中の時間測定（２４）の番号を取得し、
前記試験通信接続の終了と前記試験通信接続の終了後に受信された前記第１の時間パルスとの時間間隔に対する前記時間測定（５５）の値と、その番号が、前記試験装置（１０）の前記第１または第２の所定の測定点（３４、２２）における前記第２の所定の事象（切断、ループ中断）の発生に応答して取得された前記時間測定の番号よりそれぞれ大きい連続時間パルスの時間間隔に対するすべての測定（２４１〜２４ｉ）とを加算し、前記第２の所定の時間領域と比較する工程を用いて、前記試験通信接続の終了と、前記試験通信接続の終了後に受信されたさらなる時間パルスとの時間間隔を確認することを特徴とする請求項７に記載の方法。
【請求項９】
前記試験通信接続の終了の実際の発生の前記位置（４２、４４）と前記試験装置（１０）の前記第１および／または前記第２の測定点との間の体系的測定誤差を確認し、時間パルスの実際の生成の前記位置（４２）と前記試験装置（１０）の前記第２の測定点との間の体系的測定誤差を確認し、
前記第２の所定の事象（切断、ループ中断）の発生と、前記試験通信接続の終了後に発生する前記第１の時間パルスの受信との時間間隔を測定し、体系的測定誤差の量だけ補正することを特徴とする請求項７または８に記載の方法。
【請求項１０】
前記第１の測定点を前記被呼端末装置（３０）によって定め、
前記第２の測定点を前記発呼アナログ端末装置（２０）によって定め、前記試験通信接続は前記２つの端末装置（２０、３０）で終了させることも可能であることを特徴とする請求項３乃至９のいずれか１項に記載の方法。
【請求項１１】
特に請求項１乃至１０のいずれか１項に記載の方法を実施するために、試験され、時間パルスを放射することができる、少なくとも１つのネットワーク・ノード（４０）に接続する試験装置であって、
少なくとも１つの発呼アナログ端末装置（２０）をシミュレートし、被呼端末装置として動作させることができる少なくとも１つのさらなる端末装置（３０）をシミュレートするためのコール・シミュレータ（１００）と、
時間パルスを検知するための第１の検知器装置（２２）と、
測定可能な試験通信接続の開始に対応する第１の所定の事象（接続、ループ閉鎖）を検知するための第２の検知器装置（３４）とを備え、
前記第１および／または第２の検知器装置（２２、３４）は、測定可能な試験通信接続の終了に対応する第２の所定の事象（切断、ループ中断）を検知するように設計され、
前記試験装置は、それぞれの場合において、２つの連続時間パルスの時間間隔を測定するための第１の時間測定装置（２４）と、
前記第１の所定の事象の発生と、設定した試験通信接続の前記第１の時間パルスの受信との間隔を測定するための第２の時間測定装置（５０）と、
前記第２の所定の事象の発生と、測定された前記試験通信接続の終了後の少なくとも１つの時間パルスの受信との間隔を測定するための第３の時間測定装置（５５）と、
前記それぞれの時間測定装置の測定された時間帯を、対応する所定の時間領域と比較するための評価装置（７０）とを備えることを特徴とする試験装置。
【請求項１２】
前記評価装置（７０）は、前記試験通信接続の終了後に発生する時間パルスの数が、時間パルスの所定の最大数ｙより少ないか、多いか、等しいかを調べるように設計されていることを特徴とする請求項１１に記載の試験装置。
【請求項１３】
試験通信接続の実際の開始の位置（４４）と前記第２の検知器装置（３４）との間の体系的測定誤差が記憶され、試験通信接続の実際の終了の位置（４２、４４）と前記第１または第２の検知器装置（２２、３４）との間の体系的測定誤差が記憶され、時間パルスの実際の生成と前記試験装置（１０）の前記第１の検知器装置（２２）との間の体系的測定誤差が記憶される記憶装置（８０）と、
前記第１、第２および第３の時間測定装置（２４、５０、５５）によって測定された値を特定の体系的測定誤差の量だけ補正するための、前記記憶装置（８０）に接続された補正装置（９０）と、
測定、補正された時間帯を対応する所定の時間領域と比較するように設計された前記評価装置（７０）を特徴とする請求項１１または１２に記載の試験装置。
【請求項１４】
連続時間間隔に連続的に番号付けする装置を設け、
前記時間間隔に割り当てられた番号に応じて、前記第３の時間測定（５５）装置は、前記第２の所定の事象（切断、ループ中断）の検知後に第１の時間測定装置（２４）で時間間隔が測定されたかどうかを検知することができ、
前記第３の時間測定装置（５５）または前記評価装置（７０）は、前記試験通信接続の終了と、前記試験通信接続の終了後に受信された前記第１の時間パルスとの間隔に対する値と、その番号が、それぞれの場合において、前記試験装置（１０）の前記第１または第２の検知器装置（２２、３４）での前記第２の所定の事象（切断、ループ中断）の発生に応答して瞬時に測定された時間間隔の番号より大きい測定時間間隔のすべての値とを加算することができる請求項１１乃至１３のいずれか１項に記載の試験装置。
【請求項１５】
前記第１の検知器装置（２２）は、前記発呼アナログ端末装置（２０）に割り当てられ、前記第２の検知器装置（３４）は、前帰被呼端末装置（３０）に割り当てられる請求項１１乃至１４のいずれか１項に記載の試験装置。
【発明の詳細な説明】
【技術分野】
【０００１】
本発明は、少なくとも１つの発呼アナログ端末装置と少なくとも１つの被呼端末装置とをシミュレートすることが可能な試験装置が、時間パルスを生成する少なくとも１つのネットワーク・ノードに接続される、時間単位間隔に従って通信接続に対する料金請求を検証する試験装置および方法に関する。
【背景技術】
【０００２】
アナログ通信ネットワークは、なかでも、通信接続の料金が時間単位間隔に従って計算されるという点において特異的である。当該料金請求は、有料電話の如きアナログ端末が発呼端末装置として使用される場合には、デジタル通信ネットワーク時代の今日でも必要とされている。
【０００３】
時間単位間隔に従って通信接続の価格を決定できるように、発呼端末装置に接続された切換ネットワーク・ノードが時間パルスを生成する。切換ネットワーク・ノードは、発呼端末装置が例えば有料電話である場合に、料金を計算する目的で、生成されたパルスを発呼端末装置に送信することができる。各パルスは特定の金銭価値に対応している。各々の場合において、連続パルスの間隔を選択することによって、単位時間当たりに支払われる接続価格を設定することができる。時間単位間隔に従って支払を正確に計算するための条件は以下の通りである。
ａ）契約で合意した時間単位間隔の長さと課金される時間単位間隔の長さとの差は、概して１秒間未満である所定の値を超えないこと。
ｂ）第１のパルスは、通信接続が開始されてから所定の時間帯内にネットワーク・ノードに生成されること。
ｃ）通信接続が終了してからｙ個以下の時間パルスが生成され、所定の時間帯内に最後の時間パルスのみ生成することが可能である。
【０００４】
今まで、時間単位間隔に従って接続価格の計算を検証できる試験方法および試験システムは存在しなかった。
【発明の開示】
【発明が解決しようとする課題】
【０００５】
したがって、本発明は、時間単位間隔に従って通信接続に対する料金請求を検証するための方法および試験装置を提供するという課題に基づくものである。
【課題を解決するための手段】
【０００６】
まず、本発明は、請求項１による方法の工程を介してその課題を解決する。
【０００７】
本発明の方法は、少なくとも１つの発呼アナログ端末装置および少なくとも１つの被呼端末装置をシミュレートすることができ、時間パルスを生成する少なくとも１つのネットワーク・ノードに接続される試験装置を採用する。ネットワーク・ノードは、通常は、アナログまたはデジタルの切換ネットワーク・ノードである。該試験方法を用いて、ネットワーク・ノードに少なくとも１つの所定の試験通信接続を設定し、再び切断することができる。
【０００８】
まず、通信接続の開始と、ネットワーク・ノードにおける第１の時間パルスの生成との間隔を決定し、確認された間隔が、第１の所定の時間領域内にあるかどうかを調べる。
【０００９】
既存の試験通信接続時に、連続時間パルスの時間間隔を測定し、所定の時間間隔と比較する。有利には、試験通信接続の開始と終了の間に発生する時間単位間隔を測定する。
【００１０】
加えて、試験通信接続の終了後に、少なくとも１つの追加的な時間パルスを受信したかどうかを調べる。受信した場合は、試験通信接続の終了と、少なくとも１つの時間パルスとの時間間隔を確認する。確認された間隔が第２の所定の時間領域内にあるかどうかを調べる。
【００１１】
有利なさらなる展開は、従属請求項の主題を成す。
【００１２】
試験通信接続の開始と第１の時間パルスの生成との時間間隔を、以下の工程を用いて測定する。すなわち、測定可能な試験通信接続の開始に対応する第１の所定の事象（接続；ループ接続）の発生を、試験装置の第１の所定の測定点において検知する。ネットワーク・ノードによって生成される、試験通信接続の第１の時間パルスの受信を試験装置の第２の所定の測定点において検知する。
【００１３】
時間測定は、検知された第１の所定の事象（接続；ループ接続）の発生、および第１の時間パルスの受信の関数として、開始または停止される。
【００１４】
第１の測定点は、好ましくは被呼端末装置内に存在し、第２の測定点は、好ましくは発呼アナログ端末装置内に存在する。第１の測定点において検知される事象は、デジタル被呼端末装置の場合はプロトコル・メッセージ「接続」であってもよく、あるいは第１の測定点において検知される事象は、アナログ被呼端末装置の場合はループ接続の形成であってもよい。
【００１５】
第１および第２の測定点はネットワーク・ノードから離れたところに位置するため、ネットワーク・ノードのインターフェースで起こりうる実際の事象「接続の開始」の発生と、第１の測定点において検知される事象「接続の開始」の記録は、時間的に隔てられる。同様に、第２の測定点における第１の時間パルスの受信と、ネットワーク・ノードにおける第１の時間パルスの実際の生成は時間的に隔てられる。これらの時間的なずれは、実際の事象の位置と、この事象を検知する第１または第２の測定点との間の系統的測定誤差と呼ばれる。系統的測定誤差は、選択された試験手順の関数であるため、すべての試験シナリオに対して確認されなければならない。
【００１６】
試験方法の測定精度を高めるために、ネットワーク・ノードのインターフェースでありうる実際の事象の位置と、この事象を検知する問題の所定の測定点との間の時間的ずれを確認する。
【００１７】
このために、試験通信接続の開始が実際に生じる位置と、試験装置の第１の測定点との間の体系的測定誤差(systematic measuring error)、および第１の時間パルスが実際に生成する位置と、試験装置の第２の測定点との間の体系的測定誤差を確認する。検知された第１の所定の事象の発生と、第１の時間パルスの受信との時間間隔を測定し、体系的測定誤差の量だけ補正する。次いで、補正された間隔が第１の所定の時間領域内にあるかどうかを調べる。
【００１８】
有利には、連続時間パルスの時間間隔を、以下の工程を用いて測定する。
【００１９】
発呼アナログ端末装置によって受信された第１の時間パルスは、第１の時間測定を開始する。各々の場合において、発呼アナログ端末装置に到達する各後続時間パルスは、直前の時間パルスによって開始された時間測定を停止し、さらなる時間測定を開始する。試験通信接続の最後の時間パルスによって第ｉ番目の時間測定が開始される。第ｉ番目の時間測定がさらなる時間パルスによって開始されない場合は、これは、接続価格の計算の終了を示す。この場合、第ｉ番目の時間測定の値は破棄される。次いで、例えば所定の時間が経過した後に第ｉ番目の時間測定を停止することができる。
【００２０】
２つの連続時間パルスの時間間隔を確認するために開始された各時間測定に連続番号を割り当てることができる。
【００２１】
この時点で、時間測定は、ソフトウェアまたはハードウェアによって実施できることに言及する必要がある。ソフトウェア実装の場合は、２つの時間パルスの各発生間隔の長さを測定し、記憶装置に記憶する。次いで、記憶された値を所定の時間間隔と比較する。ハードウェア実装の場合は、例えば、時間間隔の長さを測定した後にそれぞれゼロにリセットされる２つのタイマーで十分であり、問題のタイマーの測定値を予め記憶装置に書き込む。
【００２２】
接続価格の計算の検証に用いられる試験方法は、接続の終了後に生成された時間パルスがさらに発生しうるかどうかを紙面することが可能なものでなければならない。
【００２３】
このために、試験通信接続の終了と、試験通信接続の終了後に受信された第１の時間パルスとの時間間隔を以下の工程によって確認する。
【００２４】
試験通信接続の測定可能測定可能な終端に対応する第２の所定の事象（切断；ループ中断）が、試験装置の第１または第２の所定の測定点で発生するときに時間測定を開始する。２つの連続時間パルスの時間的間隔の現在実行中の時間測定の家事を同時に記録する。試験通信接続の終了後に試験装置の第２の所定の測定点で第１の時間パルスが受信されたときに、第２の所定の事象によって開始された時間測定を停止する。所定の時間帯内でさらなる時間パルスが受信されなくなったときに、この時間測定の値を第２の所定の時間領域と比較する。
【００２５】
試験通信接続の終了後に時間パルスが受信されなくなったときに、例えば所定の期限が切れた後に、第２の所定の事象によって開始された時間測定を停止するということに言及すべきである。この場合、時間測定の値を「０」に設定する。
【００２６】
概して、連続時間パルスの時間間隔の測定が終了すると、時間測定の値を評価すればよいだけである。したがって、試験通信接続の終了後に、ただ１つの時間パルだけではなく、むしろいくつかの時間パルスが発生することが可能になる。これらの時間パルスの発生が可能であったかどうかに関する試験を以下のように実施する。
【００２７】
試験通信接続の終了と、試験通信接続の終了後に受信された第１の時間パルスとの間隔に対する時間測定の値と、その番号が、接続の終了時に実行中であった２つの連続時間パルスの間隔の時間測定の番号より大きい、連続パルスの時間間隔に対するすべての時間測定の値とを加算し、第２の所定の時間領域と比較する。
【００２８】
加えて、その番号が、接続の終了時に実行されていた２つの連続時間パルスの間隔の時間測定の番号より大きい時間測定の数をさらに求めることができる。この数から、試験通信接続の終了後に発生した時間パルスの数が、時間パルスの最大許容数ｙより少ないか、多いか、等しいかを判断することができる。
【００２９】
試験通信接続の終了の実際の発生と時間パルスの実際の生成との間隔をより正確に計算することによって、試験方法の精度を向上させることができる。
【００３０】
したがって、試験通信接続の終了の実際の発生の位置と、試験装置の第１および／または第２の測定点との間の体系的測定誤差、ならびに時間パルスの実際の生成の位置と試験装置の第２の測定点との間の体系的測定誤差を測定する。第２の測定事象（切断；ループ中断）の発生と、続いて発生する時間パルスの受信との時間間隔を測定し、体系的測定誤差の量だけ補正する。
【００３１】
このように、測定点は、ネットワーク・ノードから離れて位置しており、そのため、ネットワーク・ノードのインターフェースで生じうる実際の事象「接続の終了」の発生と、事象「接続の終了」の検知とは時間的に隔てられることを考慮する。同様に、最後の時間パルスの受信と、ネットワーク・ノードにおける最後の時間パルスの実際の生成とは異なる時間に生じる。
【００３２】
体系的測定誤差を小さく維持できるように、第１の測定点を被呼端末装置によって決定し、第２の測定点を発呼アナログ端末装置によって決定し、２つの端末装置において、通信接続を終了させることも可能にする。
【００３３】
この点で、本発明の有用な目的は、試験通信接続の開始および終了の実際の測定不可能な時間、ならびに時間パルスの生成の実際の測定不可能な時間をできるだけ正確に計算することであることを再度強調する必要がある。
【００３４】
上述の課題は、請求項１０の特徴によりさらに解決される。
【００３５】
請求項１０は、時間パルスを放射できる、試験対象の少なくとも１つのネットワーク・ノードに接続するための試験装置を提供する。該試験装置は、以下の特徴、すなわち、少なくとも１つの発呼アナログ端末装置をシミュレートし、被呼端末装置として動作させることができる少なくとも１つのさらなる端末装置をシミュレートするためのコール・シミュレータと、時間パルスを検知するための第１の検知器装置と、試験通信接続の測定可能な開始に対応する第１の所定の事象（接続；ループ閉鎖）を検知するための第２の検知器装置とを有し、第１および／または第２の検知器装置は、試験通信接続の測定可能な終了に対応する第２の所定の事象（切断；ループ中断）を検知するように設計される。
【００３６】
さらに、それぞれの場合に、２つの連続時間パルスの時間間隔を測定するための第１の時間測定機器と、第１の所定の事象の発生と、設定した試験通信接続の第１の時間パルスの受信との間隔を測定するための第２の時間測定機器と、第２の所定の事象の発生と、試験通信接続の測定終了後の少なくとも１つの時間パルスの受信との間隔を測定するための第３の時間測定機器と、特定の時間測定装置の測定時間帯を、対応する所定の時間領域と比較することができる評価装置とが提供される。加えて、評価装置は、試験通信接続の終了後に発生する時間パルスの数が、時間パルスの所定の最大数ｙより小さいか、大きいか、等しいかを調べることができる。
【００３７】
試験装置の測定精度を高めることができるように、試験通信接続の実際の開始の位置と第２の検知器装置との間の体系的誤差、試験通信接続の実際の終了の位置と第１または第２の検知器装置との間の体系的測定誤差、および時間パルスの実際の生成の位置と試験装置の第１の検知器装置との間の体系的測定誤差を記憶する記憶装置がさらに提供される。記憶装置に接続された補正装置を使用して、第１、第２および第３の時間測定装置によって測定された値をそれぞれの体系的測定誤差の量だけ補正する。
【００３８】
試験通信接続の終了後に受信された時間パルスが発生しうるかどうかを試験できるように、装置、好ましくは第１の時間測定装置は、連続時間間隔に連続的に番号づけするように設計される。また、第３の時間測定装置は、時間間隔に割り当てられた番号に応じて、第２の所定の事象（切断；ループ中断）の検知後に時間間隔が第１の時間測定装置で測定されたかどうかを検知することができる。例えば、第３の時間測定装置または評価装置は、試験通信接続の終了と、試験通信接続の終了後に受信された第１の時間パルスとの間隔に対する値と、その番号が、それぞれの場合において、試験装置の第１または第２の検知器装置での第２の所定の事象（切断；ループ中断）の発生に応答して瞬時に測定された時間間隔の番号より大きいすべての測定時間間隔の値とを加算することができる。
【００３９】
体系的誤差をできるだけ小さく維持するために、第１の検知器装置を発呼アナログ端末装置に割り当てることができ、第２の検知器装置を被呼端末装置に割り当てることが可能である。
【発明を実施するための最良の形態】
【００４０】
図面を参照しながら、例示的な実施形態に基づいて、本発明を以下に詳細に説明する。
【００４１】
図は、発呼端末装置としてのアナログ端末装置２０および被呼端末装置としての端末装置３０をシミュレートすることができる少なくとも１つのコール・シミュレータ１００を含む装置１０を示す。アナログ端末装置２０は、インターフェース４２を介して、試験対象の切換ネットワーク・ノード４０に接続される。本例ではデジタル端末装置である端末装置３０は、インターフェース４４を介して切換ネットワーク・ノード４０に接続される。端末装置３０が他の切換ネットワーク・ノードに接続される試験接続も考えられる。
【００４２】
アナログ端末装置２０は、なかでも、ネットワーク・ノード４０によって生成された時間パルスを検知することができる。加えて、アナログ端末装置２０は、ハードウェアまたはソフトウェアの形で実装され、それぞれの場合において、２つの連続時間パルスの時間間隔を測定することが可能な時間測定装置２４を有する。概略的に示された時間測定装置２４は、例えば、Ｎ＋１の時間間隔を測定できる２４１から２４Ｎ＋１のＮ＋１個のタイマーを有する。測定された時間間隔にそれぞれ１とＮ＋１の間の連続番号が割り当てられるが、その意義については以下にさらに説明する。それらの時間間隔は、対応する番号とともにメモリ２６に記憶される。アナログ端末装置２０は、アナログ端末装置２０において試験接続が終了したときループ中断を生成する生成器２９をさらに有することができる。
【００４３】
端末装置３０は、試験接続の開始、そして場合によって終了を示す事象を生成するための生成器３２を有する。デジタル端末装置の場合は、事象としてプロトコル・メッセージ「接続」または「切断」が生成され、アナログ端末装置３０の場合は、事象としてループ閉鎖またはループ中断が生成される。これらの事象は検知器３４によって検知される。
【００４４】
試験装置１０は、例えば検知器２２および３４に接続されるさらなる時間測定装置５０を有する。検知器３４で検知された試験接続の開始と、検知器２２で検知された第１の時間パルスとの間隔を時間測定装置５０によって測定することができる。
【００４５】
加えて、検知器２２または３４で検知された試験接続の終了と、検知器２２で検知され、試験接続語にネットワーク・ノード４０で生成される時間パルスとの間隔を測定することができる時間測定装置５５が提供される。このために、時間測定装置５５が、検知器２２および３４に接続される。また、時間測定装置５５は、測定時間間隔の番号、そして場合によっては特定の時間間隔の時間長を得るために時間測定装置２４に接続される。
【００４６】
記憶装置８０には、実際の事象、すなわち時間パルスの生成、ならびに接続の開始および終了の検知の位置としてのネットワーク・ノード４０のインターフェース４２および４４と、測定事象の位置としての検知器２２および３４との間の体系的測定誤差に対応する時間補正値が記憶される。
【００４７】
補正装置９０が、記憶装置２６、時間測定装置５０および５５、ならびに記憶装置８０に接続される。時間測定装置２４で測定され、記憶装置２６に記憶された時間間隔を補正しなくてもよいため、これらは、補正装置７０のみを介して、対応する番号とともに単に評価装置７０に対してループされる。他方で、時間測定装置５０および５５から得られる値は、記憶装置８０に記憶された体系的測定誤差の量だけ補正装置９０で補正され、次いで評価装置７０に送信される。
【００４８】
評価装置７０は、基準値が記憶される記憶装置６０にも接続される。基準値は、特に、選択された試験手順の関数でありうる所定の時間間隔の長さ、接続の実際の開始と第１の時間パルスの生成との間隔でありうる所定の間隔、試験接続の実際の終了と続いて生成された最後の時間パルスとの間隔でありうる最大時間間隔を定めるさらなる所定の間隔、ならびに試験通信接続の終了後に生成されうる時間パルスの最大数ｙに対応する。加えて、試験通信接続の終了後に生成されうる時間パルスの最小数ｘに対する他の基準値を保存することができる。
【００４９】
図に示される試験装置１０の動作の方法を以下に詳細に説明する。
【００５０】
この時点で、切換ノード４０を介したアナログ端末装置２０から端末装置３０への試験接続が確率されるものと想定する。アナログ端末装置２０は、なかでも、端末装置３０の呼番号をネットワーク・ノードに送信し、次いでネットワーク・ノードは、呼出信号を端末装置３０に送信する。受信された呼番号から、ネットワーク・ノード４０は、接続コストの計算に関連する時間間隔の契約上の長さを確認する。この時間間隔の長さは、選択された試験接続に対する基準値としてメモリ６０に記憶される。
【００５１】
呼出信号に応答して、例えば、受話器のリフティングが端末装置３０でシミュレートされる。次いで、生成器３２で生成されたプロトコル・メッセージ「接続」が、ネットワーク・ノード４０のインターフェース４４に送信される。本例では、プロトコル・メッセージ「接続」は、検知器装置３４で最初に検知され、検知器装置３４は、続いて、時間測定装置５０を利用して時間測定を開始する。
【００５２】
インターフェース４４におけるプロトコル・メッセージ「接続」の受信に応答して、ネットワーク・ノード４０は、第１の時間パルス、所謂開始パルスをアナログ発呼端末装置２０に送信する。検知器２２は、開始パルスを受信し、タイマー５０を停止する。したがって、プロトコル・メッセージ「接続」の生成と開始パルスの受信との時間間隔の測定もアナログ端末装置２０で終了する。
【００５３】
この開始パルス（第１の計数パルス）は、接続の実際の開始から最大で第１の所定の時間帯の分だけずれることになる。
【００５４】
クロック５０によって測定された時間間隔は、体系的測定誤差を受ける。体系的測定誤差が生じる理由は、本例では、開始パルスが実際に放出され、接続の開始（プロトコル・メッセージ「接続」の受信）が実際に発生する位置は、ネットワーク・ノード４０のインターフェース４２および４４であるといったように、測定点、すなわちアナログ端末装置２０および端末装置３０における位置が実際の事象の位置ではないためである。事象が実際に発生する位置と、これらの事象が測定される測定点との隔たりによって生じる時間のずれは、試験の開始に先立って確認され、メモリ８０に記憶される体系的誤差を表す。本例では、体系的測定誤差は、端末装置３０からネットワーク・ノード４０へのプロトコル・メッセージ「接続」の信号伝搬時間、およびネットワーク・ノード４０からアナログ端末装置２０への開始パルスの信号伝搬時間にほぼ対応する。したがって、時間測定装置５０は、時間間隔をライ警笛測定誤差の量だけ補正する補正装置９０に、測定された時間間隔を供給する。
【００５５】
評価装置７０では、２つの事象の間の時間が、最大で第１の所定の時間帯になるかどうかを判断できるように、補正された間隔をメモリ６０からの対応する基準値と比較する。
【００５６】
既存の接続時に、ネットワーク・ノード４０は、検知器２２によって検知される時間パルスをアナログ端末装置２０に送信する。
【００５７】
各々の場合において、２つの連続時間パルスの間隔が許容公差を超えてはならない。したがって、試験接続の終了まで、場合によっては恒久的に、この公差が維持されていることを監視しなければならない。
【００５８】
最初に、開始パルスは、時間測定装置２４の第１のタイマー２４１を開始させ、次の時間パルスは、既存の試験接続時に受信された最後の時間パルスがタイマー２４Ｎ−１を停止し、タイマー２４Ｎを始動させるまで、第１のタイマー２４１を停止し、第２のタイマーを始動させる等を繰り返す。同時に、各測定時間間隔に連続番号が割り当てられる。それらの番号および対応する時間間隔は、記憶装置２６に記憶される。測定された接続の終了に続く時間パルスは、タイマー２４Ｎを停止し、タイマー２４Ｎ＋１を始動させる。試験接続の終了後に、例えば２つの時間間隔の長さを有する所定の時間帯内にさらなる時間パルスが受信されなくなったときに、タイマー２４Ｎ＋１を停止することができる。次いで、タイマー２４Ｎ＋１が破棄される。
【００５９】
メモリ２６に記憶された時間間隔は、補正されずに対応する番号とともに補正装置９０を介して評価装置７０に送信される。したがって、時間間隔の長さを補正する必要はない。
【００６０】
この理由は、この試験装置の場合は、体系的測定誤差は、一方では、ネットワーク・ノード４０からアナログ端末装置２０への時間パルスの伝搬時間に起因し、他方では、試験装置１０の伝搬速度に起因する。それら２つの結果は、試験装置１０において、「ネットワーク・ノード４０が時間パルスを送信する」という事象が時間遅れによって検知されるだけである。この遅れは一定であるとみなすことができる。したがって、間隔の長さの測定は、±０ｍｓの体系的誤差を生じる。
【００６１】
評価装置７０は、測定された時間間隔を、メモリ６０に記憶された基準時間間隔と比較し、許容可能な公差が維持されているかどうかを調べる。
【００６２】
ここで、試験接続は端末装置３０で終了するとする。この場合、「受話器をかけた」という事象が、端末装置３０でシミュレートされる。次いで、生成器３２は、プロトコル・メッセージ「切断」をネットワーク・ノード４０のインターフェース４４に送信する。本例では、プロトコル・メッセージ「切断」は、検知器３４によって検知され、その結果、時間測定装置５５を始動させる。同時に、試験装置１０は、現在活動中のタイマー２４Ｎの数Ｎを判断する。
【００６３】
続いて、２つの場合について考えてみる。第１の場合では、プロトコル・メッセージ「切断」が生成器３２によって生成された後に、アナログ端末装置２０でただ１つの時間パルスが受信される。第２の場合では、プロトコリ・メッセージ「切断」が生成器３２によって生成された後に、アナログ端末装置２０でさらに２つの時間パルスが受信される。端末装置２０で２つより多くの時間パルスが受信される場合は、試験装置の動作の方法は、第２の場合に対応する。
【００６４】
最初に第１の場合について論ずる。
【００６５】
プロトコル・メッセージ「切断」が生成器３２によって生成された後に、さらに１つの時間パルスが検知器２２によって検知されるとする。この時間パルスの受信に応答して、時間測定装置５５およびタイマー２４Ｎが停止する一方で、タイマー２４Ｎ＋１が始動する。
【００６６】
時間測定装置５５の値は、プロトコル・メッセージ「切断」の生成と１つの時間パルスの受信との間隔に対応する。
【００６７】
しかし、この測定間隔は、補正装置９０によって、メモリ８０に記憶された体系的測定誤差の量だけ補正されなければならない。
【００６８】
上述したように、端末装置２０および端末装置３０における測定点は、実際の事象「接続の終了」および「時間パルスの生成」の位置ではないためである。これは、本例では、時間パルスが実際に放出され、接続の終了（プロトコル・メッセージ「切断」の受信）が実際に発生する位置が、それぞれネットワーク・ノード４０のインターフェース４２および４４であるためである。事象が実際に発生する位置と、これらの事象が測定される測定点との隔たりによって生じる時間のずれは、メモリ８０に記憶される体系的測定誤差を表す。本例では、体系的測定誤差は、端末装置３０からネットワーク・ノード４０へのプロトコル・メッセージ「切断」の信号伝搬時間、およびネットワーク・ノード４０からアナログ端末装置２０への時間パルスの信号伝搬時間にほぼ対応する。
【００６９】
補正値は、番号Ｎとともに評価装置７０に送信され、補正値が第２の所定の時間地位かであるかどうかを判断できるように、第２の所定の時間値と比較される。加えて、評価装置７０は、試験通信接続の終了後に発生する時間パルスの数がｘとｙの間隔内にあるかどうかを調べることも可能である。
【００７０】
次に、プロトコル・メッセージ「切断」が生成器３２によって生成された後に、ちょうど２つの時間パルスがアナログ端末装置２０によって受信される第２の場合について論ずる。
【００７１】
プロトコル・メッセージ「切断」が生成器３２によって生成された後に、第１の時間パルスが検知器２２によって検知されるものとする。この第１の時間パルスの受信に応答して、時間測定装置５５およびタイマー２４Ｎが停止する一方で、タイマー２４Ｎ＋１が始動する。加えて、タイマー２４Ｎによって測定された時間間隔に連続番号Ｎが割り当てられる。
【００７２】
第２の時間パルスが検知器２２によって検知される。第２の時間パルスに応答して、タイマー２４Ｎ＋１が停止し、タイマー２４Ｎ＋１によって測定された時間間隔に連続番号Ｎ＋１が割り当てられる。
【００７３】
タイマー２４Ｎ＋１の連続番号を用いて、時間測定装置５５は、プロトコル・メッセージ「切断」が生成器３２によって生成された後に、完全時間間隔Ｎ＋１が測定され、時間測定装置はこの値を、プロトコル・メッセージ「切断」の生成と第１の時間パルスの受信との時間間隔に対応する時間測定装置５５の値に加える。
【００７４】
時間測定装置５５で確認された時間間隔は、記憶装置８０に記憶された体系的測定誤差の量だけ補正装置９０でさらに補正され、番号Ｎとともに評価装置７０に送信される。
【００７５】
評価装置７０は、計算値が第２の所定の時間帯以下であるかどうかを調べる。
【００７６】
加えて、評価装置７０は、試験通信接続の終了後に発生する時間パルスの数がｘとｙの間隔内にあるかどうかを調べることもできる。
【００７７】
ここに見られるように、測定結果の記述評価を行うことができるように、時間測定装置２４の現在実行中のタイマーの番号をタイマー５５の始動時に試験装置１０によって登録しなければならない。
【００７８】
測定点の位置は、対応する体系的測定誤差をできるだけ小さくするように選択されることが好ましいということに言及すべきである。したがって、事象「接続の開始」を検知する測定点は、被呼端末装置３０に位置する。事象「接続の終了」を検知する測定点も、接続が終了した端末装置３０に存在する。
【図面の簡単な説明】
【００７９】
【図１】発呼端末装置としてのアナログ端末装置および被呼端末装置としての端末装置をシミュレートすることができる少なくとも１つのコール・シミュレータを含む試験装置を示す図である。
【符号の説明】
【００８０】
１０  試験装置
２０  発呼アナログ端末装置
２２  検知器
２４  連続時間パルスの時間間隔を測定するための時間測定装置
２４１〜２４Ｎ＋１  タイマー
２６  測定時間間隔がそれらの番号とともに記憶されるメモリ
２９  生成器
３０  被呼端末装置
３２  生成器
３４  検知器
４０  切換ネットワーク・ノード
４２  インターフェース
４４  インターフェース
５０  試験通信接続と第１の時間パルスとの時間間隔を測定するためのタイマー
５５  時間測定装置
６０  所定の基準値が記憶されるメモリ
７０  評価装置
８０  体系的測定誤差に対応する補正値が記憶されるメモリ
９０  補正装置
１００  コール・シミュレータ
【図１】
2006505162.tif 000003
【国際調査報告】
2006505162.tif 000004
2006505162.tif 000005
2006505162.tif 000006
2006505162.tif 000007